(57)【特許請求の範囲】
【請求項１】
商品ごとに定められている発注タイミングを格納する第一格納部に格納されている発注タイミングと現在時刻との関係に基づいて、前記発注タイミングまで所定時間となった発注候補商品が置かれる場所に関する場所情報を取得する取得手段と、
商品が置かれる場所の担当者情報を格納する第二格納部から、前記場所情報に対応づけられた担当者情報を抽出する抽出手段と、
抽出された前記担当者情報に対応づけられた携帯装置に、前記場所情報を送信する送信処理手段と、
を備える情報処理装置。
【請求項２】
前記携帯装置から送られる画像に、前記発注候補商品が置かれる陳列棚の一部又は全部が含まれていることを確認する確認手段と、
前記確認の後、前記発注候補商品が置かれる陳列棚における前記発注候補商品が置かれる場所が強調される表示を前記携帯装置に出力させる表示処理手段と、
を更に備える請求項１に記載の情報処理装置。
【請求項３】
前記確認手段は、陳列棚とその陳列棚に陳列される商品とを対応づけた商品レイアウト情報を用いて、前記携帯装置から送られる画像に含まれる商品画像と、前記発注候補商品と同じ陳列棚に置かれる商品の画像とを照合することにより、前記確認を行う、
請求項２に記載の情報処理装置。
【請求項４】
異なる場所に設置され、自機の識別情報を含む無線信号をそれぞれ送出する複数の無線機の中の一つの無線機の識別情報を前記携帯装置から受信する受信処理手段、
を更に備え、
前記確認手段は、前記受信された無線機の識別情報に基づいて前記複数の無線機及び複数の陳列棚の配置情報を格納する第三格納部を参照することにより、前記携帯装置と前記発注候補商品が置かれる陳列棚との位置関係を確認し、
前記表示処理手段は、前記画像に前記発注候補商品が置かれる陳列棚の一部又は全部が含まれていることの確認、及び前記携帯装置と前記発注候補商品が置かれる陳列棚との位置関係の確認の少なくとも一方の後に、前記表示を前記携帯装置に出力させる、
請求項２又は３に記載の情報処理装置。
【請求項５】
異なる場所に設置され、自機の識別情報を含む無線信号をそれぞれ送出する複数の無線機の中の一つの無線機の識別情報を前記携帯装置から受信する受信処理手段と、
前記受信された無線機の識別情報に基づいて前記複数の無線機及び複数の陳列棚の配置情報を格納する第三格納部を参照することにより、前記受信された識別情報が示す無線機から前記発注候補商品が置かれる陳列棚までの経路情報を生成する生成手段と、
を更に備え、
前記送信処理手段は、前記生成された経路情報を前記携帯装置に送信する、
請求項１から４のいずれか１項に記載の情報処理装置。
【請求項６】
前記送信処理手段は、前記携帯装置に、複数の発注候補商品が置かれる複数の陳列棚の識別情報を送信し、
前記受信処理手段は、前記複数の陳列棚の中から前記携帯装置で指定された陳列棚の識別情報を前記携帯装置から受信し、
前記生成手段は、前記第三格納部を参照することにより、前記受信された識別情報が示す無線機から前記受信された識別情報が示す陳列棚までの経路情報を生成する、
請求項５に記載の情報処理装置。
【請求項７】
請求項１から６のいずれか１項に記載の情報処理装置と通信可能な携帯装置において、
前記発注候補商品が置かれる陳列棚における前記発注候補商品が置かれる場所が強調される表示を表示部に出力する表示処理手段、
を備える携帯装置。
【請求項８】
前記表示部に出力された前記表示に関する前記担当者の操作を検出する検出手段と、
前記検出された操作に基づいて商品の発注情報を生成する生成手段と、
前記生成された発注情報を送信する送信処理手段と、
を更に備える請求項７に記載の携帯装置。
【請求項９】
携帯装置と通信可能なコンピュータにより実行される発注支援方法において、
商品ごとに定められている発注タイミングを格納する第一格納部に格納されている発注タイミングと現在時刻との関係に基づいて、前記発注タイミングまで所定時間となった発注候補商品が置かれる場所に関する場所情報を取得し、
商品が置かれる場所の担当者情報を格納する第二格納部から、前記場所情報に対応づけられた担当者情報を抽出し、
抽出された前記担当者情報に対応づけられた携帯装置に、前記場所情報を送信する、
ことを含む発注支援方法。
【請求項１０】
請求項９に記載の発注支援方法を少なくとも一つのコンピュータに実行させるプログラム。
【発明の詳細な説明】
【技術分野】
【０００１】
本発明は、店舗における顧客又は店員を支援する技術に関する。
【背景技術】
【０００２】
広い売り場面積を有する大型の店舗が数多く存在する。このような店舗では、店員も顧客も所望の商品が陳列されている場所を知るのに苦労する場合がある。これは、大型店舗だけでなく、書店やレンタル店等のような多数の商品を扱う店舗でも起こり得る。また、コンビニエンスストア等の小売店では、店員の数が少ないため、店員は、レジ作業、品出し、清掃、在庫確認、発注等のように複数の業務をこなさなければならない。【０００３】
下記特許文献１には、ヘッドマウントディスプレイを含むウエアラブル端末装置により、レジ作業、在庫確認作業、在庫登録作業を支援する手法が提案されている。具体的には、装着者の視線の先のバーコードを認識することで、精算モード、陳列棚モード及び在庫登録モードのいずれか一つに移行して、精算処理、在庫情報の表示、在庫情報の登録が行われる。下記特許文献２では、ウェアラブルデバイスを用いた様々な手法が提案されている。例えば、この手法では、ウェアラブルデバイスが照明器具から可視光通信を介して受信された照明ＩＤ情報をスマートフォンに送り、スマートフォンがその照明ＩＤ情報及びユーザ情報に基づいてサーバから店舗のポイント情報やクーポン情報を受け取り、ユーザは店舗内の展示場所まで誘導を受けることが可能となる（段落１９９８）。また、スマートフォンがサーバから取得する情報で、ユーザの購買行為を支援する手法が提案されている。この手法では、ウェアラブルデバイスが矢印等を表示することで、ユーザを特定の場所へ誘導し、商品棚の前に案内すると、購入の要否を問い合わせる画面に遷移する（段落２００４）。
【先行技術文献】
【特許文献】
【０００４】
【特許文献１】特開２０１１−１４０８２号公報
【特許文献２】特許第５５９０４３１号公報
【発明の概要】
【発明が解決しようとする課題】
【０００５】
しかしながら、上述の提案手法は、店員又は顧客を更に支援する余地を残していた。例えば、店員の発注業務を支援する手法は提案されていない。また、顧客を所望の商品の陳列棚の前まで誘導することは提案されるものの、顧客は、所望の商品を手に取りたい場合に、案内された陳列棚の中からその商品を探さなければならなかった。【０００６】
本発明は、このような事情に鑑みてなされたものであり、店舗における店員又は顧客を支援する技術を提供する。
【課題を解決するための手段】
【０００７】
本発明の各側面では、上述した課題を解決するために、それぞれ以下の構成を採用する。【０００８】
第一の側面は、情報処理装置に関する。第１の側面に係る情報処理装置は、商品ごとに定められている発注タイミングを格納する第一格納部に格納されている発注タイミングと現在時刻との関係に基づいて、発注タイミングまで所定時間となった発注候補商品が置かれる場所に関する場所情報を取得する取得手段と、商品が置かれる場所の担当者情報を格納する第二格納部から、場所情報に対応づけられた担当者情報を抽出する抽出手段と、抽出された担当者情報に対応づけられた携帯装置に、場所情報を送信する送信処理手段と、を有する。
【０００９】
第二の側面は、携帯装置と通信可能なコンピュータにより実行される発注支援方法に関する。第２の側面に係る発注支援方法は、商品ごとに定められている発注タイミングを格納する第一格納部に格納されている発注タイミングと現在時刻との関係に基づいて、発注タイミングまで所定時間となった発注候補商品が置かれる場所に関する場所情報を取得し、商品が置かれる場所の担当者情報を格納する第二格納部から、場所情報に対応づけられた担当者情報を抽出し、抽出された担当者情報に対応づけられた携帯装置に、場所情報を送信する、ことを含む。
【００１４】
なお、本発明の他の側面は、上記第二の側面の方法を少なくとも１つのコンピュータにそれぞれ実行させるプログラムであってもよいし、このようなプログラムを記録したコンピュータが読み取り可能な記録媒体であってもよい。この記録媒体は、非一時的な有形の媒体を含む。
【発明の効果】
【００１５】
上記各側面によれば、店舗における店員又は顧客を支援する技術を提供することができる。
【図面の簡単な説明】
【００１６】
上述した目的、およびその他の目的、特徴および利点は、以下に述べる好適な実施の形態、およびそれに付随する以下の図面によってさらに明らかになる。【００１７】
【図１】第一実施形態における支援システムの構成例を概念的に示す図である。
【図２】第一実施形態におけるサーバ装置のハードウェア構成例を概念的に示す図である。
【図３】第一実施形態における携帯装置のハードウェア構成例を概念的に示す図である。
【図４】ビーコン装置の配置の例を示す図である。
【図５】第一実施形態におけるサーバ装置の処理構成例を概念的に示す図である。
【図６】発注時刻テーブルの例を示す図である。
【図７】担当者テーブルの例を示す図である。
【図８】店舗レイアウトテーブルの例を示す図である。
【図９】商品情報テーブルの例を示す図である。
【図１０】商品レイアウトテーブルの例を示す図である。
【図１１】指定陳列棚の表示例を示す図である。
【図１２】第一実施形態における携帯装置の処理構成例を概念的に示す図である。
【図１３】第一実施形態における支援システムの動作例を示すシーケンスチャートである。
【図１４】第一実施形態における支援システムの動作例を示すシーケンスチャートである。
【図１５】発注候補商品の情報及び経路情報の表示例を示す図である。
【図１６】第二実施形態における情報処理装置の処理構成例を概念的に示す図である。
【図１７】第二実施形態における情報処理装置の動作例を示すフローチャートである。
【図１８】第三実施形態における情報処理装置の処理構成例を概念的に示す図である。
【図１９】第三実施形態における情報処理装置の動作例を示すフローチャートである。
【図２０】第四実施形態における情報処理装置の処理構成例を概念的に示す図である。
【図２１】第四実施形態における情報処理装置の動作例を示すフローチャートである。
【発明を実施するための形態】
【００１８】
以下、本発明の実施の形態について説明する。なお、以下に挙げる各実施形態はそれぞれ例示であり、本発明は以下の各実施形態の構成に限定されない。
【００１９】
［第一実施形態］
〔システム構成〕
図１は、第一実施形態における支援システム１の構成例を概念的に示す図である。第一実施形態における支援システム１は、複数の携帯装置１０、複数のビーコン装置５、アクセスポイント（ＡＰ）３、サーバ装置２０等を有する。支援システム１は、複数の陳列棚を有する店舗の業務として、特に発注業務を支援する。以降の説明では、「陳列棚」と「棚」とを明確に使い分ける。「陳列棚」は、少なくとも一段の「棚」を含むラック及びキャビネットを意味するものとして用い、「棚」は、その陳列棚に含まれる、商品を載せる個々の部材を意味するものとして用いる。
【００２０】
店舗には複数のビーコン装置５が設置されており、個々の店員が各携帯装置１０をそれぞれ携える。各携帯装置１０は、ビーコン装置５から発信される無線信号をそれぞれ受信することができ、ＡＰ３及び通信網２を介してサーバ装置２０と通信をそれぞれ行うことができる。各装置の具体的な処理内容については後述する。
【００２１】
図２は、第一実施形態におけるサーバ装置２０のハードウェア構成例を概念的に示す図である。図２に示されるように、サーバ装置２０は、ＣＰＵ（Central Processing Unit）２１、メモリ２２、入出力インタフェース（Ｉ／Ｆ）２３、通信ユニット２４等を有する。これら各ハードウェア要素は、例えば、バス等により接続される。ＣＰＵ２１は、一般的なＣＰＵ、特定用途向け集積回路（ＡＳＩＣ）、ＤＳＰ（Digital Signal Processor）、ＧＰＵ（Graphics Processing Unit）等の少なくとも一つに相当する。メモリ２２は、ＲＡＭ（Random Access Memory）、ＲＯＭ（Read Only Memory）、補助記憶装置（ハードディスク等）等である。通信ユニット２４は、無線又は有線にて、他の装置や他の機器と通信を行う。具体的には、通信ユニット２４は、通信網２に通信可能に接続されており、通信網２及びＡＰ３を介して各携帯装置１０とそれぞれ通信を行う。また、通信ユニット２４には、可搬型記録媒体等も接続され得る。
【００２２】
入出力Ｉ／Ｆ２３には、表示装置２５、入力装置２６等が接続されてもよい。表示装置２５は、ＬＣＤ（Liquid Crystal Display）やＣＲＴ（Cathode Ray Tube）ディスプレイ等のような、ＣＰＵ２１等により処理された描画データに対応する表示を出力装置である。入力装置２６は、キーボード、マウス等のようなユーザ操作の入力を受け付ける装置である。表示装置２５及び入力装置２６は一体化され、タッチパネルとして実現されてもよい。
【００２３】
通信網２は、携帯電話回線網、Ｗｉ−Ｆｉ（Wireless Fidelity）回線網、インターネット通信網、専用回線網、ＬＡＮ（Local Area Network）のような１以上の通信網により形成される。図１の例によれば、ＡＰ３も通信網２に通信可能に接続される。
ＡＰ３は、複数の携帯装置１０と無線接続され、サーバ装置２０と各携帯装置１０との間の通信を中継する。ＡＰ３と通信網２との間の通信形態は制限されない。また、本実施形態では、サーバ装置２０と各携帯装置１０との間の通信形態は制限されない。
【００２４】
図３は、第一実施形態における携帯装置１０のハードウェア構成例を概念的に示す図である。第一実施形態における携帯装置１０は、スマートフォン、タブレット端末、ウェアラブルデバイスのようないわゆる汎用のコンピュータ、又はＧＯＴ（Graphic Order Terminal）等のような店舗の業務を支援する専用のコンピュータである。携帯装置１０は、図１に例示されるように、ウェアラブルデバイス、特にウェアラブルグラスで実現されることが望ましい。これにより、携帯装置１０で店員の手をふさぐことがないため、店員が作業をよりし易くすることができるからである。
【００２５】
携帯装置１０は、ＣＰＵ１１、メモリ１２、表示ユニット１３、操作ユニット１４、通信ユニット１５、撮像ユニット１６、マイクロフォンユニット１７、スピーカユニット１８等を有する。ＣＰＵ１１及びメモリ１２については、上述のＣＰＵ２１及びメモリ２２と同様である。ＣＰＵ１１は、他の各ハードウェア要素とバス等の通信線により接続される。
【００２６】
表示ユニット１３は、ＬＣＤ（Liquid Crystal Display）やＣＲＴ（Cathode Ray Tube）ディスプレイ等のようなモニタを含み、表示処理を行う。
操作ユニット１４は、ユーザにより操作される操作部を含み、ユーザの操作の検出処理等を行う。例えば、操作ユニット１４は、外部からの接触を感知することによりユーザからの操作入力を受け付けるタッチセンサを含む。また、表示ユニット１３及び操作ユニット１４は、タッチパネルユニットとして実現されてもよい。
【００２７】
通信ユニット１５は、ＡＰ３と無線チャネルを確立し、ＡＰ３及び通信網２を経由して、サーバ装置２０と通信を行う。また、通信ユニット１５は、ＡＰ３を経由して、又は直接に、他の携帯装置１０と通信を行ってもよい。更に、通信ユニット１５は、各ビーコン装置５から送出される無線信号を受信することもできる。
【００２８】
撮像ユニット１６は、撮像部を含み、撮像部で撮像された画像のデータを取得する。
マイクロフォンユニット１７は、集音装置である。スピーカユニット１８は、音声出力装置である。図３の例では、ユーザ操作を検出し得るハードウェア要素として、操作ユニット１４、撮像ユニット１６、及びマイクロフォンユニット１７が例示されるが、携帯装置１０は、他種のユーザ操作を検出し得る振動センサ、加速度センサ、地磁気センサ（以上、図示せず）を持つようにしてもよい。
【００２９】
ビーコン装置５は、店舗内の任意の位置に配置され、その位置を知らせるために自機の識別情報を含む無線信号を送出する無線機である。ビーコン装置５は、例えば、ＢＬＥ（Bluetooth（登録商標） Low Energy）と呼ばれる近距離無線通信を利用する。この場合、ビーコン装置５の識別情報は、Ｐｒｏｘｉｍｉｔｙ  ＵＵＩＤ（Universally Unique Identifier）であり、送出される無線信号は、Ａｄｖｅｒｔｉｓｉｎｇパケットである。但し、ビーコン装置５により利用される無線通信規格は、ＢＬＥに制限されない。
【００３０】
図４は、ビーコン装置５の配置の例を示す図である。図４は、店舗を天井から俯瞰した平面図を示し、２０台のビーコン装置５が店舗の天井に一定間隔で設置されている。本実施形態では、陳列棚に対する店員の位置を検出するため、各ビーコン装置５は、陳列棚に対して一定間隔で設置されている。但し、ビーコン装置５の設置の形態は、図４の例に制限されない。店舗の部分的にビーコン装置５間の間隔が拡げられたり、縮められたりしてもよい。各ビーコン装置５の配置は、店員の位置の検出精度などに応じて、適宜決められれば良い。
【００３１】
また、図２及び図３に示される各ハードウェア構成はそれぞれ例であり、携帯装置１０及びサーバ装置２０のハードウェア構成は、図２及び図３で示される例に制限されない。携帯装置１０及びサーバ装置２０は、図示されていない他のハードウェア要素を含み得る。また、各装置の数、及び各装置のハードウェア要素の数も、図１、図２及び図３の例に制限されない。例えば、支援システム１は、複数のサーバ装置２０を有していてもよいし、サーバ装置２０及び携帯装置１０は、複数のＣＰＵ２１（ＣＰＵ１１）を有していてもよい。また、個々の携帯装置１０及び個々のビーコン装置５は、特に区別する必要がある場合を除き、符号１０及び５を用いて総称する。
【００３２】
〔処理構成〕
図５は、第一実施形態におけるサーバ装置２０の処理構成例を概念的に示す図である。サーバ装置２０は、取得部４１、抽出部４２、送信処理部４３、受信処理部４４、確認部４５、表示処理部４６、生成部４７、データベース３０等を有する。これら各処理モジュールは、例えば、ＣＰＵ２１によりメモリ２２に格納されるプログラムが実行されることにより実現される。また、当該プログラムは、例えば、ＣＤ（Compact Disc）、メモリカード等のような可搬型記録媒体やネットワーク上の他のコンピュータから通信ユニット２４を介してインストールされ、メモリ２２に格納されてもよい。
【００３３】
データベース３０は、発注時刻テーブル３１、担当者テーブル３２、店舗レイアウトテーブル３３、商品情報テーブル３４、商品レイアウトテーブル３５等を含む。
【００３４】
図６は、発注時刻テーブルの例を示す図である。発注時刻テーブル３１は、陳列棚毎の商品の発注日及び発注時刻のリストを格納する。棚ＩＤは、店舗内に存在する陳列棚を特定するための識別情報である。商品コードは、各商品を特定するための識別情報である。ＰＯＳ（Point Of Sale）システムで利用される商品コードがそのまま利用されてもよい。図６の例では、各陳列棚について同一日時で発注される商品の商品コードのリストが「商品コード」フィールドに格納される。但し、発注時刻テーブル３１は、図６の例に限定されない。発注時刻テーブル３１は、本発明の第一格納部に相当する。
【００３５】
図７は、担当者テーブル３２の例を示す図である。担当者テーブル３２は、各担当者について担当する陳列棚及び所持する携帯装置１０のＩＤをそれぞれ格納する。担当者ＩＤは、店舗内で発注業務を行う担当者を特定するための識別情報である。携帯装置ＩＤは、担当者が所持する携帯装置１０を特定するための識別情報である。携帯装置ＩＤには、サーバ装置２０がその携帯装置１０に情報を送る際に送信先アドレスとなるアドレスが利用されてもよい。また、携帯装置ＩＤは、送信先アドレスを取得するためのキーとなる識別情報であってもよい。但し、担当者テーブル３２は、図７の例に限定されない。担当者テーブル３２は、本発明の第二格納部に相当する。
【００３６】
図８は、店舗レイアウトテーブル３３の例を示す図である。店舗レイアウトテーブル３３は、陳列棚及びビーコン装置５の店舗内の位置を示す情報を格納する。図８の例では、「棚 or ビーコン装置」のフィールドには、そのレコードが陳列棚の情報を示すのか、ビーコン装置の情報を示すのかを区別するためのフラグデータ（０ or １）が格納される。「棚ＩＤ or ビーコンＩＤ」のフィールドには、棚ＩＤ、又は各ビーコン装置５を特定するためのビーコンＩＤが格納される。位置情報は、店舗の床平面（平面図）上の位置座標を示す。この位置情報は、店員に或る陳列棚までの経路を提供するために用いられる。よって、その位置情報には、その経路を示す画像上の位置座標が用いられてもよいし、緯度及び経度で示される実世界座標が用いられてもよい。また、その位置情報は、ビーコン装置５と陳列棚との相対的な位置関係を示してもよい。例えば、ビーコン装置５の位置情報が、或る陳列棚の正面、正面右端、又は正面左端として示される。店舗レイアウトテーブル３３は、図８の例に限定されない。店舗レイアウトテーブル３３は、本発明の第三格納部に相当する。
【００３７】
図９は、商品情報テーブル３４の例を示す図である。商品情報テーブル３４は、商品棚に陳列される商品の情報を格納する。図９に示されるように、商品情報テーブル３４の各レコードには、商品画像情報及び棚ＩＤが含まれる。商品画像情報は、携帯装置１０で撮像された画像に含まれる商品を特定するために用いられる画像情報であり、画像データそのものであってもよいし、画像の特徴量情報であってもよい。棚ＩＤは、その商品が陳列されている陳列棚を特定するための識別情報である。商品情報テーブル３４は、ＰＯＳシステムと共用されてもよい。この場合、ＰＯＳシステムは、商品情報テーブル３４から価格等の商品情報を取得することができる。商品情報テーブル３４は、図９の例に限定されない。
【００３８】
図１０は、商品レイアウトテーブル３５の例を示す図である。商品レイアウトテーブル３５は、陳列棚毎の商品のレイアウトを示す情報を格納する。図１０の例では、棚ＩＤと、そのＩＤで特定される陳列棚に置かれる商品の商品コードと、その陳列棚におけるその商品の位置を示す位置情報とが対応付けられて格納されている。この位置情報は、陳列棚の正面図における高さ方向と幅方向との２軸の座標として表される。この位置情報は、例えば、陳列された商品を正面視した場合の底辺の中心の座標で示されてもよいし、底辺の２つの端を示す２つの座標で示されてもよい。また、その位置情報は、高さ方向を、「上から何番目の棚」のように、陳列棚内の個々の棚の順番で示し、幅方向を、「左から何番目の商品」のように、同棚上に陳列される個々の商品の順番で示してもよい。商品レイアウトテーブル３５は、図１０の例に限定されない。
【００３９】
取得部４１は、発注時刻テーブル３１に格納される発注時刻と現在時刻との関係に基づいて、発注候補商品が置かれる陳列棚の情報を取得する。具体的には、取得部４１は、発注時刻テーブル３１に格納される発注日及び発注時刻（以降、発注タイミングと表記する場合もある）と現在日時との関係を監視しており、発注時刻テーブル３１に格納される発注タイミングが近付いていることを検出する。例えば、取得部４１は、発注タイミングまで所定時間（例えば、３時間）となったことを検出する。取得部４１は、発注タイミングまで所定時間となったレコードが示す棚ＩＤを発注時刻テーブル３１から抽出する。取得部４１は、複数の陳列棚の情報を取得する場合もある。
【００４０】
取得部４１は、発注候補商品の情報を更に取得することもできる。具体的には、取得部４１は、発注タイミングが近付いたレコードが示す商品コードを発注時刻テーブル３１から抽出する。「発注候補商品」とは、発注タイミングが近付いた商品を意味する。発注担当者である店員は、その「発注候補商品」が陳列されている棚を見に行き、その「発注候補商品」の陳列数及び在庫数を考慮して、その商品を発注すべきか否か、発注個数等を決定する。
【００４１】
抽出部４２は、担当者テーブル３２から、取得部４１により取得された情報が示す陳列棚の担当者情報を抽出する。図７の例では、抽出部４２は、担当者テーブル３２において、取得部４１により取得された棚ＩＤに対応付けられた担当者ＩＤ及び携帯装置ＩＤを担当者情報として抽出する。
【００４２】
また、抽出部４２は、商品情報テーブル３４から、取得部４１により取得された情報が示す発注候補商品に関する商品情報を更に抽出することもできる。この場合、抽出部４２は、取得部４１により取得された発注候補商品の商品コードに対応付けられた商品の情報を商品情報テーブル３４から抽出する。
【００４３】
送信処理部４３は、抽出部４２により抽出された担当者情報により示される店員が携える携帯装置１０に、アラートと共に、取得部４１により取得された陳列棚の情報を送信する。一人の担当者が担当する複数の陳列棚に関する発注時刻が近付いている場合には、送信処理部４３は、当該複数の陳列棚の情報を送信する。この情報を受信した携帯装置１０は、陳列棚の情報を表示する。送信される陳列棚の情報には、少なくとも各陳列棚の識別情報が含まれる。
【００４４】
送信処理部４３は、後述の生成部４７により生成された経路情報を、上述の陳列棚の情報の送信先である携帯装置１０に送信する。この経路情報を受信した携帯装置１０は、最寄りのビーコン装置５から発注時刻が近付いている商品の陳列棚までの経路を表示する。このとき、送信処理部４３は、抽出部４２により抽出された商品情報も更に送信してもよい。これにより、携帯装置１０は、経路情報と共に、発注候補商品の情報を表示することができる。
【００４５】
受信処理部４４は、複数のビーコン装置５の中の一つのビーコン装置５の識別情報及び携帯装置１０で指定された陳列棚の識別情報をその携帯装置１０から受信する。受信されるビーコン装置５の識別情報は、送信処理部４３により陳列棚の情報が送信された携帯装置１０の最寄りのビーコン装置５を示す。また、受信される陳列棚の識別情報は、送信処理部４３により送信された情報が示す陳列棚の中から携帯装置１０のユーザ（担当者）により選択された陳列棚を示す。以降、携帯装置１０のユーザにより選択された陳列棚を指定陳列棚と表記する場合もある。言い換えれば、指定陳列棚は、発注候補商品が置かれる陳列棚の中で携帯装置１０のユーザにより指定された陳列棚である。
【００４６】
また、一人の担当者につき一つの陳列棚のみが特定されている場合には、携帯装置１０での指定は不要である。この場合、受信処理部４４は、ビーコン装置５の識別情報のみを受信してもよいし、ビーコン装置５の識別情報及び陳列棚の識別情報を受信してもよい。このように、携帯装置１０での指定の有無に関わらず、一人の担当者（一台の携帯装置１０）につき特定された一つの陳列棚も指定陳列棚と表記される。また、受信処理部４４は、携帯装置１０で撮像された画像をその携帯装置１０から受信する。
【００４７】
生成部４７は、受信処理部４４により受信されたビーコン装置５の識別情報に基づいて店舗レイアウトテーブル３３を参照することにより、受信処理部４４により受信された識別情報が示すビーコン装置５から指定陳列棚までの経路情報を生成する。受信処理部４４により陳列棚の識別情報が受信される場合には、指定陳列棚はその識別情報で特定される。受信処理部４４により陳列棚の識別情報が受信されない場合には、指定陳列棚は、取得部４１により取得された情報に含まれる識別情報で特定される。図８に例示されるように店舗レイアウトテーブル３３では、各ビーコン装置５と各陳列棚との配置情報が格納されている。よって、生成部４７は、この配置情報を参照しながら、既存のカーナビゲーションシステムや歩行者用の道案内アプリケーション等で利用されている周知の経路探索技術を用いて、担当者の最寄りのビーコン装置５から指定陳列棚までの最短経路を決定することができる。生成部４７により生成される経路情報は、例えば、店舗レイアウトテーブル３３に格納される位置情報と同様の座標情報により示される。
【００４８】
確認部４５は、携帯装置１０から送られる画像に、指定陳列棚の一部又は全部が含まれていることを確認する。この確認は、携帯装置１０を有する担当者が、指定陳列棚の前にいることを確認することにも繋がる。確認部４５は、携帯装置１０から送られる画像に含まれる商品画像と、指定陳列棚に置かれる商品の画像とを照合することにより、上述の確認を行う。この画像間の照合には、画像間の特徴量の類似度の計算が含まれる。その画像間の照合により、確認部４５は、携帯装置１０から送られる画像に、指定陳列棚に置かれる１以上の商品が含まれることを確認することで、その画像に指定陳列棚の一部又は全部が含まれていることを確認する。
【００４９】
例えば、確認部４５は、周知の画像認識手法を用いて、画像から指定陳列棚の棚や枠を検出し、その棚や枠との位置関係に基づいて、その陳列されている商品を表す画像領域を検出することができる。また、確認部４５は、商品レイアウトテーブル３５から、指定陳列棚の棚ＩＤに対応付けられた各商品の商品コード及び位置情報を抽出し、更に、商品情報テーブル３４からその抽出された商品コードに対応付けられた商品画像情報を抽出する。確認部４５は、上述のように検出された商品の画像領域と、その抽出された各商品画像情報とをそれぞれ照合する。確認部４５は、抽出された商品画像情報と所定閾値以上の類似度を示した商品の画像領域が検出された場合に、その画像が指定陳列棚の一部又は全部を撮像した画像であることを確認することができる。確認部４５は、指定陳列棚に置かれる発注候補商品の画像情報のみを照合対象として用いてもよいし、指定陳列棚に置かれる複数の商品（発注候補商品を含んでもよい）の画像情報を照合対象として用いてもよい。
【００５０】
表示処理部４６は、確認部４５による確認の後、指定陳列棚における発注候補商品が置かれる場所が強調される表示を携帯装置１０に出力させる。例えば、表示処理部４６は、各商品がそれぞれ決められた場所に陳列されている指定陳列棚の画像上において、発注候補商品の画像が強調された画像データを生成し、その画像データを携帯装置１０に送る。この場合、表示処理部４６は、商品レイアウトテーブル３５から抽出される位置情報を用いて、その画像データの中で発注候補商品の画像の場所を特定してもよい。発注候補商品が置かれる場所が他の商品が置かれる場所と区別できるように表示されれば、その強調表示の手法は制限されない。例えば、発注候補商品の点滅や、発注候補商品の表示色の変更や、発注候補商品に対する特定マークの付与等、強調手法は様々である。
【００５１】
表示処理部４６は、周知の拡張現実（ＡＲ）技術を用いて、携帯装置１０により撮像された画像に発注候補商品を強調する付加画像を重畳させた表示を携帯装置１０に出力させることもできる。表示処理部４６は、撮像画像上の発注候補商品が置かれる場所に何らかの付加画像を重畳させた画像を携帯装置１０に表示させる。携帯装置１０がビデオシースルー型又は光学シースルー型のヘッドマウントディスプレイやウェアラブルグラスで実現される場合には、表示処理部４６は、その強調表示の描画データとその位置情報を携帯装置１０に送ることで、指定陳列棚における発注候補商品が置かれる場所が強調された表示を携帯装置１０に出力させることもできる。この場合、発注候補商品が置かれる位置の特定には、商品レイアウトテーブル３５から抽出される位置情報及び商品情報テーブル３４から抽出される商品画像情報の少なくとも一方が用いられる。指定陳列棚に発注候補商品が残っている場合には、発注候補商品の商品画像情報と画像内の商品を表す画像領域との比較により、発注候補商品が置かれている位置を特定することができる。指定陳列棚に発注候補商品が残っていない場合には、抽出された位置情報を用いて、発注候補商品が置かれている位置を特定することができる。
【００５２】
図１１は、指定陳列棚の表示例を示す図である。図１１の例では、５段の各棚にそれぞれ４つの商品が陳列されており、全ての陳列商品の中で、発注候補商品「商品Ａ」、「商品Ｅ」、「商品Ｊ」及び「商品Ｎ」が強調表示されている。図１１の例では、発注候補商品の周囲がハイライト表示されることで、発注候補商品の置かれる場所が強調されている。
【００５３】
一方で、携帯装置１０から送られる画像に指定陳列棚の一部又は全部が含まれていない場合、携帯装置１０を所持する担当者が、間違った陳列棚を撮像している可能性がある。そこで、表示処理部４６は、確認部４５が、携帯装置１０から送られる画像に指定陳列棚の一部又は全部が含まれていることを確認できなかった場合、その旨を携帯装置１０に表示させてもよい。この表示により、担当者は、撮像した陳列棚が指定陳列棚ではないことを認識することができ、早急に正しい陳列棚に移動することができる。
【００５４】
図１２は、第一実施形態における携帯装置１０の処理構成例を概念的に示す図である。携帯装置１０は、受信処理部５１、表示処理部５２、検出部５３、生成部５４、送信処理部５５等を有する。これら各処理モジュールは、例えば、ＣＰＵ１１によりメモリ１２に格納されるプログラムが実行されることにより実現される。また、当該プログラムは、例えば、ＣＤ、メモリカード等のような可搬型記録媒体やネットワーク上の他のコンピュータから通信ユニット１５を介してインストールされ、メモリ１２に格納されてもよい。
【００５５】
受信処理部５１は、サーバ装置２０の送信処理部４３及び表示処理部４６から送られるデータを受信する。具体的には、受信処理部５１は、サーバ装置２０の送信処理部４３から送信される、発注候補商品が置かれる商品棚の情報を受信する。更に、受信処理部５１は、サーバ装置２０の送信処理部４３から送信される経路情報及び発注候補商品の商品情報を受信する。また、受信処理部５１は、サーバ装置２０の表示処理部４６から送られる表示データを受信する。
【００５６】
更に、受信処理部５１は、ビーコン装置５から送出される無線信号を受信する。受信処理部５１は、受信された無線信号からビーコン装置５の識別情報を抽出する。また、受信処理部５１は、受信された無線信号の電波強度を測定することができる。これにより、受信処理部５１は、最寄りのビーコン装置５の識別情報を特定することができる。受信処理部５１は、最も強い電波強度の無線信号から抽出される識別情報が示すビーコン装置５を最寄りのビーコン装置５として特定する。
【００５７】
表示処理部５２は、受信処理部５１で受信された情報に基づいて、発注候補商品が置かれる商品棚の情報をアラートと共に、表示ユニット１３のモニタに表示する。受信された情報が複数の商品棚を示す場合、表示処理部５２は、商品棚の一覧を表示する。
表示処理部５２は、受信処理部５１で受信された経路情報に基づいて、最寄りのビーコン装置５から指定陳列棚までの経路を表示する。経路情報と共に発注候補商品の情報が受信されている場合、表示処理部５２は、当該経路と共に、発注候補商品の情報を表示することもできる。
【００５８】
表示処理部５２は、サーバ装置２０の表示処理部４６から送られる表示データに基づいて、指定陳列棚における発注候補商品が置かれる場所が強調される表示を表示ユニット１３のモニタに出力する。表示処理部５２は、携帯装置１０にインストールされたＷＥＢブラウザを含み、サーバ装置２０からＨＴＭＬ（Hyper Text Markup Language）データを取得し、そのＨＴＭＬデータに基づいて各種情報を示す表示を出力してもよい（ＷＥＢブラウザ）。表示処理部５２とサーバ装置２０の表示処理部４６との間のインタフェース及び当該表示の出力手法は制限されない。
【００５９】
検出部５３は、表示処理部５２により出力された表示に関するユーザ（担当者）の操作を検出する。具体的には、検出部５３は、陳列棚の表示の中から一つの陳列棚を選択する操作を検出する。検出部５３は、ユーザの音声による操作を検出することもできる。即ち、検出部５３は、マイクロフォンユニット１７により取得されたユーザの音声が認識されることで、選択された陳列棚の情報を取得することもできる。このような操作で選択された陳列棚が指定陳列棚である。また、検出部５３は、指定陳列棚における発注候補商品が置かれる場所が強調される表示の中で、発注候補商品を選択する操作を検出する。
【００６０】
生成部５４は、検出部５３により検出された操作に基づいて商品の発注情報を生成する。例えば、生成部５４は、ユーザにより選択された発注候補商品の商品コード、その商品の発注数等を含む発注情報を生成する。例えば、商品コードは、表示データに含まれており、生成部５４は、その表示データから商品コードを取得してもよい。発注数については、例えば、上記表示に重畳して出力される入力画面に対するユーザの入力操作により入力される。また、発注数は、マイクロフォンユニット１７により取得されたユーザの音声が認識されることで、取得されてもよい。
【００６１】
送信処理部５５は、最寄りのビーコン装置５の識別情報、及び指定陳列棚の識別情報をサーバ装置２０に送信する。また、送信処理部５５は、撮像ユニット１６により撮像された画像をサーバ装置２０に送信する。撮像ユニット１６による撮像のタイミングは、ユーザによる所定操作（音声による操作も含む）が検出された際でもよいし、所定周期であってもよい。
【００６２】
更に、送信処理部５５は、生成部５４により発注情報が生成された場合には、その生成された発注情報を送信する。発注情報の送信先は、発注処理を実行する装置である。サーバ装置２０が発注処理を実行する場合には、送信処理部５５は、発注情報をサーバ装置２０に送信する。また、送信処理部５５は、通信ユニット１５の近距離無線通信を用いて、ＧＯＴのような発注用端末にその発注情報を送信することもできる。
【００６３】
〔動作例〕
以下、第一実施形態における発注支援方法について図１３及び図１４を用いて説明する。図１３及び図１４は、第一実施形態における支援システム１の動作例を示すシーケンスチャートである。図１３及び図１４に示されるように、第一実施形態における発注支援方法は、携帯装置１０及びサーバ装置２０のような複数のコンピュータにより実行される。図示される各工程は、例えば、携帯装置１０及びサーバ装置２０の各処理モジュールにより実行される。各工程は、各装置の上述の処理内容と同様であるため、各工程の詳細は、適宜省略される。
【００６４】
サーバ装置２０は、発注時刻テーブル３１に格納される発注日及び発注時刻（発注タイミング）と現在日時との関係を監視しており、所定時間以内に近付いている発注タイミングを検出する（Ｓ１３１）。サーバ装置２０は、この所定時間を予め保持する。
【００６５】
サーバ装置２０は、所定時間以内に近付いている発注タイミングに対応する陳列棚の情報を取得する（Ｓ１３２）。例えば、サーバ装置２０は、発注タイミングまで所定時間となったレコードが示す棚ＩＤを発注時刻テーブル３１から抽出する。このとき、サーバ装置２０は、同レコードに含まれる商品コードを抽出することもできる。この商品コードは、発注タイミングが近付いた発注候補商品を示す。
【００６６】
サーバ装置２０は、（Ｓ１３２）で取得された情報が示す陳列棚の担当者の情報を担当者テーブル３２から抽出する（Ｓ１３３）。例えば、サーバ装置２０は、担当者テーブル３２において、（Ｓ１３２）で取得された棚ＩＤに対応付けられた担当者ＩＤ及び携帯装置ＩＤを担当者情報として抽出する。図１３及び図１４の例では、携帯装置１０（＃１）を所持する担当者（店員）の情報が抽出されると仮定する。
【００６７】
サーバ装置２０は、（Ｓ１３３）で抽出された担当者情報により示される担当者の携帯装置１０（＃１）にアラート通知を行う（Ｓ１３４）。このアラート通知と共に、サーバ装置２０は、（Ｓ１３２）で取得された陳列棚の情報をその携帯装置１０に送信する（Ｓ１３４）。送信される陳列棚の情報には、少なくとも各陳列棚の識別情報が含まれる。その送信の宛先アドレスは、（Ｓ１３３）で担当者情報として抽出された携帯装置ＩＤを用いてもよいし、その携帯装置ＩＤから特定される装置アドレスであってもよい。また、担当者ＩＤがメールアドレスの場合には、その担当者ＩＤ宛の電子メールでアラート通知が行われてもよい。
【００６８】
携帯装置１０（＃１）は、アラート通知と陳列棚の情報を受信すると、陳列棚の情報と共にアラートを表示する（Ｓ１３５）。携帯装置１０（＃１）を所持する担当者（店員）は、そのアラート表示により、発注業務を担当する陳列棚の商品で発注タイミングが近付いている商品があることに気付くことができる。
【００６９】
このとき、携帯装置１０（＃１）は、最寄りのビーコン装置５を特定する（Ｓ１３６）。例えば、携帯装置１０（＃１）は、最も電波強度が強い無線信号から抽出される識別情報で示されるビーコン装置５を最寄りのビーコン装置５として特定する。
【００７０】
更に、携帯装置１０（＃１）は、（Ｓ１３５）で表示された陳列棚の情報の中から当該担当者により選択された陳列棚の識別情報を特定する（Ｓ１３７）。携帯装置１０（＃１）は、担当者による陳列棚の選択を操作ユニット１４により検出してもよいし、マイクロフォンユニット１７により得られる音声から検出してもよい。即ち、携帯装置１０（＃１）は、指定陳列棚の識別情報を特定する。（Ｓ１３４）で受信される情報が一つの陳列棚を示す場合には、携帯装置１０（＃１）は、担当者による明示的な選択操作がなくても、その陳列棚の識別情報を特定することができる。
【００７１】
携帯装置１０（＃１）は、（Ｓ１３６）で特定された最寄りのビーコン装置５の識別情報、及び（Ｓ１３７）で特定された指定陳列棚の識別情報をサーバ装置２０に送信する（Ｓ１３８）。
【００７２】
サーバ装置２０は、携帯装置１０（＃１）から最寄りのビーコン装置５の識別情報及び指定陳列棚の識別情報を受信すると、その最寄りのビーコン装置５から指定陳列棚までの経路情報を生成する（Ｓ１３９）。このとき、サーバ装置２０は、各ビーコン装置５と各陳列棚との配置情報が格納される店舗レイアウトテーブル３３を参照して、周知の経路探索技術を用いて、当該経路情報を生成する。
【００７３】
更に、サーバ装置２０は、指定陳列棚に置かれる発注候補商品の情報を商品情報テーブル３４から抽出する。サーバ装置２０は、（Ｓ１３２）で特定された発注時刻テーブル３１のレコードにおいて、指定陳列棚の棚ＩＤに対応付けられている商品コードを取得する。この商品コードが発注候補商品を示すため、サーバ装置２０は、この商品コードを用いて、商品情報テーブル３４から発注候補商品の情報を取得することができる。
【００７４】
サーバ装置２０は、（Ｓ１３９）で生成された経路情報及び（Ｓ１４０）で取得された発注候補商品の情報を、（Ｓ１３４）の送信先であり（Ｓ１３８）の送信元である携帯装置１０（＃１）に送信する（Ｓ１４１）。
【００７５】
携帯装置１０（＃１）は、経路情報及び発注候補商品の情報を受信すると、それら情報に基づいて、最寄りのビーコン装置５から指定陳列棚までの経路、及び発注候補商品の情報を表示する（Ｓ１４２）。
図１５は、発注候補商品の情報及び経路情報の表示例を示す図である。図１５の例では、携帯装置１０は、経路情報の表示エリアＲＤと発注候補商品の情報の表示エリアＬＤを並べて表示する。表示エリアＬＤでは、指定陳列棚に置かれる４つの発注候補商品の情報がリスト表示されている。表示エリアＲＤでは、最寄りのビーコン装置５（＃２）から指定陳列棚ＤＳまでの最短経路が矢印で示されている。
【００７６】
携帯装置１０（＃１）を所持する担当者（店員）は、（Ｓ１３５）の表示により、発注タイミングが近付いている陳列棚が存在することを認識し、表示される陳列棚の中からこれから向かう陳列棚を指定する。陳列棚の指定は、携帯装置１０（＃１）の操作ユニット１４により行われてもよいし、音声により行われてもよい。これにより、携帯装置１０（＃１）において指定陳列棚が特定される。その後、その担当者は、携帯装置１０（＃１）に表示される経路情報を見ることで、現在位置から指定陳列棚までの行き方を知ることができる。加えて、その担当者は、携帯装置１０（＃１）に表示される商品情報を見ることで、その指定陳列棚に陳列される発注候補商品の情報を知ることができる。
【００７７】
その担当者は、その経路情報を見ながら、指定陳列棚まで移動し、携帯装置１０（＃１）を操作して指定陳列棚を撮影する。これにより、携帯装置１０（＃１）は、指定陳列棚の画像を撮像する（Ｓ１５０）。この画像には、指定陳列棚の全体又は一部が含まれている。携帯装置１０（＃１）は、撮像された画像をサーバ装置２０に送信する（Ｓ１５１）。
【００７８】
サーバ装置２０は、携帯装置１０（＃１）から画像を受信すると、その画像に、指定陳列棚の一部又は全部が含まれていることを確認する。例えば、サーバ装置２０は、その画像から、陳列されている商品を表す画像領域を検出する。サーバ装置２０は、商品レイアウトテーブル３５から、指定陳列棚の棚ＩＤに対応付けられた各商品の商品コード及び位置情報を抽出する（Ｓ１５２）。加えて、サーバ装置２０は、商品情報テーブル３４からその抽出された商品コードに対応付けられた商品画像情報を抽出する（Ｓ１５３）。サーバ装置２０は、画像から検出された商品の画像領域と、（Ｓ１５３）で抽出された商品画像情報とを照合する（Ｓ１５４）。サーバ装置２０は、抽出された商品画像情報と所定閾値以上の類似度を示した商品の画像領域が検出された場合に、その画像が指定陳列棚の一部又は全部を撮像した画像であることを確認することができる。
【００７９】
サーバ装置２０は、上記確認後、指定陳列棚における発注候補商品が置かれる場所が強調される表示を携帯装置１０（＃１）に出力させる（Ｓ１５５）。例えば、サーバ装置２０は、各商品がそれぞれ決められた場所に陳列されている指定陳列棚の画像上に発注候補商品の画像が強調された画像データを生成し、その画像データを携帯装置１０に送る。また、サーバ装置２０は、強調表示の描画データとその位置情報を携帯装置１０に送ることもできる。
【００８０】
携帯装置１０（＃１）は、サーバ装置２０から受信されたデータに基づいて、発注候補商品が強調された表示を出力する（Ｓ１５６）。これにより、図１１に例示されるような表示が出力される。これを見た担当者は、指定陳列棚の中で発注候補商品の置かれている場所を直ぐに把握することができ、陳列数を直ぐに数えることができる。これにより、担当者は発注作業を効率的に進めることができる。
【００８１】
一方で、サーバ装置２０は、携帯装置１０（＃１）から送られた画像に指定陳列棚の一部又は全部が含まれていることを確認できない場合、その旨を携帯装置１０（＃１）に表示させてもよい（Ｓ１５５）。携帯装置１０（＃１）は、撮像画像に指定陳列棚の一部又は全部が含まれていることが確認できなかった旨のエラーメッセージを表示する（Ｓ１５６）。これにより、担当者は、指定陳列棚ではない別の陳列棚まで移動してしまったことに気づき、早急に、正しい指定陳列棚へ移動を開始することができる。
【００８２】
更に、携帯装置１０（＃１）は、（Ｓ１５６）で出力された表示に関する担当者の操作を検出する（Ｓ１５７）。例えば、携帯装置１０（＃１）は、指定陳列棚における発注候補商品が置かれる場所が強調される表示の中で、発注候補商品を選択する操作やその発注候補商品の発注数を入力する操作を検出する。このような操作は、操作ユニット１４により検出されてもよいし、マイクロフォンユニット１７により得られる音声から検出されてもよい。
【００８３】
携帯装置１０（＃１）は、（Ｓ１５７）で検出された操作に基づいて、発注候補商品の中から選択された商品の発注情報を生成する（Ｓ１５８）。例えば、携帯装置１０（＃１）は、ユーザにより選択された発注候補商品の商品コード、その商品の発注数等を含む発注情報を生成する。携帯装置１０（＃１）は、（Ｓ１５７）で生成された発注情報を発注処理を行う装置に送信する。サーバ装置２０が発注処理を実行する場合には、携帯装置１０（＃１）は、その発注情報をサーバ装置２０に送信する。また、携帯装置１０（＃１）は、通信ユニット１５の近距離無線通信を用いて、ＧＯＴのような発注用端末にその発注情報を送信することもできる。
【００８４】
第一実施形態における支援システム１で実行される各処理の実行順序は、図１３及び図１４に示される例に限定されない。各処理の実行順序は、内容的に支障のない範囲で変更することができる。例えば、（Ｓ１３６）は、所定の周期で逐次実行されてもよい。また、（Ｓ１５２）及び（Ｓ１５３）は、（Ｓ１３８）で指定陳列棚の識別情報の取得後であれば、（Ｓ１５１）より前に実行することができる。
【００８５】
〔第一実施形態の作用及び効果〕
上述したように第一実施形態では、陳列棚毎の商品の発注タイミングが発注時刻テーブル３１に格納されており、各発注タイミングの監視により、所定時間以内に近付いている発注タイミングが検出される。また、担当者毎の担当する陳列棚の情報が担当者テーブル３２に格納されており、検出された発注タイミングに対応する陳列棚の担当者の情報が抽出される。そして、その抽出された担当者情報に基づいて、その担当者が所持する携帯装置１０に、所定時間以内に近付いている発注タイミングが検出されたことを示すアラートが通知され、その検出された発注タイミングに対応する陳列棚の情報が送信される。
【００８６】
多様な商品を取り扱う店舗において、売り場毎、曜日毎に発注すべき商品が異なったり、商品毎に発注時刻が異なったりする場合がある。このため、発注業務に不慣れな担当者は、発注タイミングを逃してしまう恐れがある。第一実施形態によれば、携帯装置１０を所持する担当者は、発注タイミングが到来する前に、自身が担当する陳列棚内の商品に、所定時間以内で発注作業をすべき発注候補商品が存在することを知ることができる。結果、どのような担当者であっても、発注タイミングを逃すことを防止することができる。
【００８７】
更に、第一実施形態では、携帯装置１０の最寄りのビーコン装置５の識別情報がサーバ装置２０に送られ、サーバ装置２０でその最寄りのビーコン装置５から指定陳列棚までの経路情報が生成され、その経路情報が携帯装置１０で表示される。これにより、店舗内のレイアウトを覚えていない担当者であっても、現在位置から指定陳列棚までの行き方を容易に知ることが出来る。また、一人の担当者について発注タイミングが近付いている複数の陳列棚が存在する場合には、それら陳列棚の情報が携帯装置１０でリスト表示され、携帯装置１０で選択された一つの陳列棚（指定陳列棚）の識別情報がサーバ装置２０に送られる。これにより、携帯装置１０には、現在位置からその識別情報が示す指定陳列棚までの経路が表示される。
【００８８】
更に、第一実施形態では、携帯装置１０で撮像された画像がサーバ装置２０に送られ、サーバ装置２０においてその画像に指定陳列棚の一部又は全部が含まれているか否かが確認される。この確認後、指定陳列棚における発注候補商品が置かれる場所が強調される表示が携帯装置１０に出力される。これにより、携帯装置１０を所持する担当者は、携帯装置１０で陳列棚を撮影することにより、指定陳列棚まで正しく移動できたかどうかを確認することが出来ると共に、指定陳列棚の中から発注候補商品が置かれる場所を直ぐに把握することが出来る。担当者は、画像に指定陳列棚の一部又は全部が含まれていることが確認できない旨のエラーメッセージを見ることで、指定陳列棚とは異なる他の陳列棚に移動してしまったことを直ぐに把握することができる。このように、第一実施形態によれば、店員の発注業務の効率化を実現することができる。
【００８９】
更に、第一実施形態では、携帯装置１０に表示される、指定陳列棚における発注候補商品が置かれる場所が強調される表示に関する担当者の操作が検出され、その操作に基づいて商品の発注情報が生成され、送信される。これにより、発注処理を行う装置（サーバ装置２０や他の装置）に対して、発注情報を携帯装置１０からシームレスに提供することができ、発注業務を一層効率化することができる。
【００９０】
［第一実施形態の変形例］
上述の第一実施形態では、図１３に示されるように、発注候補商品の情報が、経路情報と共にサーバ装置２０から携帯装置１０（＃１）に送信され、携帯装置１０（＃１）で経路情報と共に表示された。しかしながら、（Ｓ１５６）で発注候補商品が置かれる場所が強調される表示が出力されるため、発注候補商品の情報は表示されなくてもよい。この場合、図１３において（Ｓ１４０）は不要であり、サーバ装置２０は、（Ｓ１４１）で経路情報のみを携帯装置１０（＃１）へ送信し、携帯装置１０（＃１）は、（Ｓ１４２）で経路情報のみを表示する。
【００９１】
また、上述の第一実施形態では、経路情報が携帯装置１０で表示された。しかしながら、指定陳列棚までの経路は、担当者自身により判断されてもよい。この場合、図１３において（Ｓ１３６）から（Ｓ１４２）は不要となり、サーバ装置２０は、生成部４７を有さなくてもよい。また、（Ｓ１３４）において、サーバ装置２０は、陳列棚の情報として、店舗内のその陳列棚の位置を示す情報を携帯装置１０（＃１）に送信してもよい。担当者は、この情報を頼りに、指定陳列棚まで移動することができる。
【００９２】
また、上述の第一実施形態では、図１４に示されるように、携帯装置１０（＃１）が発注情報を生成した。しかしながら、発注作業自体は、他の装置を用いて実施されてもよい。この場合、図１４において（Ｓ１５７）及び（Ｓ１５８）は不要であり、携帯装置１０は、生成部５４を有していなくてもよい。
【００９３】
また、サーバ装置２０（確認部４５）は、携帯装置１０から送られる最寄りのビーコン装置５の識別情報に基づいて、携帯装置１０と指定陳列棚との位置関係を確認することもできる。この場合、携帯装置１０は、最寄りのビーコン装置５の識別情報をサーバ装置２０に逐次送信する。この送信タイミングは、所定の周期であってもよいし、最寄りのビーコン装置５が変わったときであってもよい。サーバ装置２０（確認部４５）は、店舗レイアウトテーブル３３に格納される、各ビーコン装置５と指定陳列棚との配置情報と、最寄りのビーコン装置５の識別情報とに基づいて、担当者が、指定陳列棚の画像を撮像できる位置にいるか否かを判断する。サーバ装置２０（確認部４５）は、携帯装置１０から送られた画像に指定陳列棚の一部又は全部が含まれていることの確認、及び携帯装置１０と指定陳列棚との位置関係の確認の少なくとも一方の後に、指定陳列棚における発注候補商品が置かれる場所が強調される表示を携帯装置１０に出力させる。このように、担当者が指定陳列棚の前にいることの確認は、携帯装置１０で撮像された画像を用いる手法だけでなく、最寄りのビーコン装置５と各陳列棚との位置情報を用いる手法でも実現可能である。
【００９４】
後者の確認手法（位置情報を用いる確認手法）のみが用いられる場合、図１４において（Ｓ１５３）及び（Ｓ１５４）は不要となり、商品情報テーブル３４に商品画像情報は不要となる。また、この場合、携帯装置１０と指定陳列棚との位置関係の確認、及び指定陳列棚における発注候補商品が置かれる場所が強調される表示の出力タイミングの決定は、携帯装置１０により実行されてもよい。携帯装置１０は、陳列棚とビーコン装置５との配置情報を予め保持し、当該表示データを予めサーバ装置２０から取得しておく。携帯装置１０は、その配置情報を用いて最寄りのビーコン装置５と指定陳列棚との位置関係を確認し、その確認後、当該表示を出力する。
【００９５】
［第二実施形態］
以下、第二実施形態における情報処理装置及び発注支援方法について図１６及び図１７を用いて説明する。また、第二実施形態は、この発注支援方法を少なくとも１つのコンピュータに実行させるプログラムであってもよいし、このようなプログラムを記録した当該少なくとも１つのコンピュータが読み取り可能な記録媒体であってもよい。
【００９６】
図１６は、第二実施形態における情報処理装置１００の処理構成例を概念的に示す図である。図１６に示される情報処理装置１００は、図２に示される上述のサーバ装置２０と同様のハードウェア構成を有する。但し、情報処理装置１００には、表示装置２５及び入力装置２６が接続されていなくてもよい。
【００９７】
図１６に示されるように、情報処理装置１００は、取得部１０１、抽出部１０２、送信処理部１０３を有する。これら各処理モジュールは、例えば、ＣＰＵ２１によりメモリ２２に格納されるプログラムが実行されることにより実現される。また、当該プログラムは、例えば、ＣＤ、メモリカード等のような可搬型記録媒体やネットワーク上の他のコンピュータから通信ユニット２４を介してインストールされ、メモリ２２に格納されてもよい。第一格納部１０４及び第二格納部１０５は、情報処理装置１００のメモリ２２上に置かれてもよいし、他の装置で実現されてもよい。他の装置が第一格納部１０４及び第二格納部１０５を有する場合、情報処理装置１００は、通信ユニット２４による通信を介して、第一格納部１０４及び第二格納部１０５にアクセスすることができる。
【００９８】
第一格納部１０４は、商品の発注タイミング情報を格納する。第一格納部１０４の一具体例は、図６に示される発注時刻テーブル３１である。図６の例では、棚毎に発注タイミングが発注時刻テーブル３１に格納されているが、第一格納部１０４は、商品毎の発注タイミングを格納していてもよい。また、発注日が固定されている場合等には、第一格納部１０４は、発注日の情報を格納していなくてもよい。逆に、発注時刻が固定されている場合等には、第一格納部１０４は、発注時刻の情報を格納していなくてもよい。第一格納部１０４は、各商品を識別する商品コード及び各商品の発注タイミング情報を少なくとも格納する。発注タイミング情報は、発注日及び発注時刻のいずれか一方又は両方を示す。
【００９９】
第二格納部１０５は、商品又は商品が置かれる場所の担当者情報を格納する。第二格納部１０５の一具体例は、図７に示される担当者テーブル３２である。図７に示される担当者テーブル３２は、担当者毎の陳列棚の識別情報（棚ＩＤ）を格納する。これは、第一実施形態では、陳列棚毎に担当者が割り当てられていたからである。担当者は、商品毎に割り当てられてもよいし、陳列棚内の棚毎に割り当てられてもよい。よって、第二格納部１０５は、担当者情報と商品コードとを格納してもよいし、担当者情報と棚の識別情報とを格納してもよい。棚の識別情報は、陳列棚及びその陳列棚内における棚を識別する情報である。
【０１００】
取得部１０１は、第一格納部１０４に格納される発注タイミングと現在時刻との関係に基づいて、発注候補商品に関する情報を取得する。「発注候補商品」とは、発注タイミングが近付いた、発注候補となる商品を意味する。例えば、取得部１０１は、上述の取得部４１と同様に、その発注タイミングが所定時間以内に近付いた商品（発注候補商品）に関する情報を取得する。「発注候補商品に関する情報」は、発注候補となる商品自体の情報（商品コード、商品名等）、及び発注候補となる商品が置かれる場所の情報のいずれか一方又は両方を含む。
【０１０１】
抽出部１０２は、第二格納部１０５から、発注候補商品又は発注候補商品が置かれる場所の担当者情報を抽出する。上述したように、担当者が、商品毎に割り当てられている場合には、抽出部１０２は、発注候補商品の担当者情報を抽出する。また、担当者が、陳列棚内の棚毎に割り当てられている場合には、抽出部１０２は、発注候補商品が置かれる棚の担当者情報を抽出する。更に、第一実施形態のように、担当者が陳列棚毎に割り当てられている場合には、抽出部１０２は、発注候補商品が置かれる陳列棚の担当者情報を抽出する。抽出される担当者情報は、その情報により示される担当者が所持する携帯端末に或る情報を送信するための宛先情報（アドレス等）、又はその宛先情報を特定するための情報である。
【０１０２】
送信処理部１０３は、抽出部１０２により抽出された担当者情報により示される担当者の携帯装置に、取得部１０１により取得された発注候補商品に関する情報を送信する。
【０１０３】
図１７は、第二実施形態における情報処理装置１００の動作例を示すフローチャートである。図１７に示されるように、第二実施形態における発注支援方法は、情報処理装置１００のような少なくとも１つのコンピュータにより実行される。例えば、図示される各工程は、情報処理装置１００が有する各処理モジュールにより実行される。各工程は、各処理モジュールの上述の処理内容と同様であるため、各工程の詳細は、適宜省略される。
【０１０４】
本実施形態における発注支援方法は、（Ｓ１７１）、（Ｓ１７２）及び（Ｓ１７３）を含む。
（Ｓ１７１）では、情報処理装置１００は、上述の第一格納部１０４に格納される発注タイミングと現在時刻との関係に基づいて、発注候補商品に関する情報を取得する。
（Ｓ１７２）では、情報処理装置１００は、上述の第二格納部１０５から、発注候補商品又は発注候補商品が置かれる場所の担当者情報を抽出する。
（Ｓ１７３）では、情報処理装置１００は、（Ｓ１７２）で抽出された担当者情報により示される担当者の携帯装置に、当該発注候補商品に関し（Ｓ１７１）で取得された情報を送信する。
【０１０５】
第二実施形態では、発注タイミングが近付いた発注候補商品に関する情報が、その発注候補商品の担当者又はその発注候補商品が置かれる場所の担当者が所持する携帯装置に送信される。結果として、携帯装置でその発注候補商品に関する情報が表示されれば、担当者は、自身が担当する商品又は場所の中で、発注タイミングが近付いた商品又は場所を知ることができる。従って、第二実施形態によれば、発注漏れを防ぐことができ、発注業務を支援することができる。
【０１０６】
上述の各実施形態及び変形例では、発注業務が支援された。しかしながら、上述の内容は、発注業務の支援のみに適用されるものではなく、店員の接客業務、及び店舗内の顧客の行為を支援することもできる。第三実施形態は、店舗内で商品を探している顧客及び店員を支援する。
【０１０７】
［第三実施形態］
以下、第三実施形態における情報処理装置及び支援方法について図１８及び図１９を用いて説明する。また、第三実施形態は、この支援方法を少なくとも１つのコンピュータに実行させるプログラムであってもよいし、このようなプログラムを記録した当該少なくとも１つのコンピュータが読み取り可能な記録媒体であってもよい。
【０１０８】
図１８は、第三実施形態における情報処理装置２００の処理構成例を概念的に示す図である。図１８に示される情報処理装置２００は、図２に示される上述のサーバ装置２０、又は図３に示される上述の携帯装置１０と同様のハードウェア構成を有する。即ち、情報処理装置２００は、固定的に設置されるコンピュータであってもよいし、携帯型のコンピュータであってもよい。
【０１０９】
図１８に示されるように、情報処理装置２００は、取得部２０１、確認部２０２、表示処理部２０３を有する。これら各処理モジュールは、例えば、ＣＰＵ１１又は２１によりメモリ１２又は２２に格納されるプログラムが実行されることにより実現される。また、当該プログラムは、例えば、ＣＤ、メモリカード等のような可搬型記録媒体やネットワーク上の他のコンピュータから通信ユニット１５又は２４を介してインストールされ、メモリ１２又は２２に格納されてもよい。
【０１１０】
取得部２０１は、画像を取得する。取得部２０１は、撮像ユニット１６により撮像された画像を取得する。また、取得部２０１は、情報処理装置２００以外の携帯装置で撮像された画像をその装置から取得する。取得される画像は、店員又は顧客の操作により撮像された画像である。
【０１１１】
確認部２０２は、取得部２０１により取得された画像に、対象商品が置かれる陳列棚の一部又は全部が含まれていることを確認する。「対象商品」は、例えば、店員又は顧客が探している商品である。例えば、確認部２０２は、取得部２０１により取得された画像に含まれる商品画像と、対象商品と同じ陳列棚に置かれる商品の画像とを照合することにより、当該確認を行う。確認部２０２による具体的な確認方法は、発注候補商品と対象商品との差異を除いて、上述の確認部４５により実行される確認方法と同様である。
【０１１２】
表示処理部２０３は、確認部２０２による確認の後、対象商品が置かれる陳列棚における対象商品が置かれる場所が強調される表示を表示部に出力する。この表示の具体的な出力手法は、発注候補商品と対象商品との差異を除いて、上述の表示処理部４６により実行される出力方法と同様である。出力先となる表示部は、情報処理装置２００が有していてもよいし、情報処理装置２００以外の他の携帯装置が有していてもよい。
【０１１３】
図１９は、第三実施形態における情報処理装置２００の動作例を示すフローチャートである。図１９に示されるように、第三実施形態における支援方法は、情報処理装置２００のような少なくとも１つのコンピュータにより実行される。例えば、図示される各工程は、情報処理装置２００が有する各処理モジュールにより実行される。各工程は、各処理モジュールの上述の処理内容と同様であるため、各工程の詳細は、適宜省略される。
【０１１４】
本実施形態における支援方法は、（Ｓ１９１）、（Ｓ１９２）及び（Ｓ１９４）を含む。
（Ｓ１９１）では、情報処理装置２００は、画像を取得する。情報処理装置２００は、自身の撮像ユニット１６により撮像された画像を取得してもよいし、情報処理装置２００以外の携帯装置により撮像された画像をその携帯装置から取得してもよい。
【０１１５】
（Ｓ１９２）では、情報処理装置２００は、（Ｓ１９１）で取得された画像に対象商品が置かれる陳列棚の一部又は全部が含まれていることを確認する。
（Ｓ１９２）で確認できた場合（Ｓ１９３；ＹＥＳ）、情報処理装置２００は、対象商品が置かれる陳列棚における対象商品が置かれる場所が強調される表示を表示部に出力する（Ｓ１９４）。表示部は、情報処理装置２００が有していてもよいし、情報処理装置２００以外の他の携帯装置が有していてもよい。
【０１１６】
第三実施形態では、取得された画像に対象商品が置かれる陳列棚の一部又は全部が含まれていることが確認され、この確認後に、その陳列棚における対象商品が置かれる場所が強調される表示が出力される。これにより、店員又は顧客は、所持する携帯装置で陳列棚を撮影することにより、その陳列棚が対象商品が置かれる陳列棚か否かをすぐに把握することができる。店員又は顧客は、その陳列棚に対象商品が置かれる場合には、その陳列棚における対象商品が置かれる場所が強調される表示を見ることができる。これにより、陳列棚に多数の商品が置かれている場合であっても、店員又は顧客は、その中から対象商品を直ぐに見つけることができる。従って、第三実施形態によれば、店員又は顧客が店舗内で所望の商品を探すのを支援することができる。
【０１１７】
［第四実施形態］
以下、第四実施形態における情報処理装置及び支援方法について図２０及び図２１を用いて説明する。また、第四実施形態は、この支援方法を少なくとも１つのコンピュータに実行させるプログラムであってもよいし、このようなプログラムを記録した当該少なくとも１つのコンピュータが読み取り可能な記録媒体であってもよい。
【０１１８】
図２０は、第四実施形態における情報処理装置３００の処理構成例を概念的に示す図である。図２０に示される情報処理装置３００は、図２に示される上述のサーバ装置２０、又は図３に示される上述の携帯装置１０と同様のハードウェア構成を有する。即ち、情報処理装置２００は、固定的に設置されるコンピュータであってもよいし、携帯型のコンピュータであってもよい。
【０１１９】
図２０に示されるように、情報処理装置３００は、取得部３０１、確認部３０２、表示処理部３０３を有する。これら各処理モジュールは、例えば、ＣＰＵ１１又は２１によりメモリ１２又は２２に格納されるプログラムが実行されることにより実現される。また、当該プログラムは、例えば、ＣＤ、メモリカード等のような可搬型記録媒体やネットワーク上の他のコンピュータから通信ユニット１５又は２４を介してインストールされ、メモリ１２又は２２に格納されてもよい。格納部３０４は、情報処理装置３００のメモリ１２又は２２上に置かれてもよいし、他の装置で実現されてもよい。他の装置が格納部３０４を有する場合、情報処理装置３００は、通信ユニット１５又は２４による通信を介して、格納部３０４にアクセスすることができる。
【０１２０】
取得部３０１は、異なる場所に設置され、自機の識別情報を含む無線信号をそれぞれ送出する複数の無線機の中の一つの無線機の識別情報を取得する。これら無線機の一具体例が上述のビーコン装置である。各無線機は、上述のビーコン装置と同様に、店舗内の天井等にそれぞれ設置される。例えば、取得部３０１は、情報処理装置３００又は情報処理装置３００以外の携帯装置の最寄りの無線機の識別情報を取得する。情報処理装置３００の最寄りの無線機の識別情報を取得する場合、取得部３０１は、無線機から受信される無線信号の電波強度に基づいて、最寄りの無線機を特定することができる。
【０１２１】
格納部３０４は、当該複数の無線機及び複数の陳列棚の配置情報を格納する。格納部３０４の一具体例は、図８に示される店舗レイアウトテーブル３３である。図８の例では、１つのテーブルに陳列棚とビーコン装置５の位置情報が格納されていたが、格納部３０４では、無線機と陳列棚の位置情報が複数のテーブルに格納されていてもよい。
【０１２２】
確認部３０２は、取得部２０１により取得された無線機の識別情報に基づいて格納部３０４を参照することにより、取得部２０１により取得された識別情報により示される無線機と対象商品が置かれる陳列棚との位置関係を確認する。例えば、確認部３０２は、格納部３０４に格納される、各無線機と各陳列棚との配置情報と、取得部３０１により取得された無線機の識別情報とに基づいて、その無線機と対象商品が置かれる陳列棚とが近いことを確認する。この確認処理により、確認部３０２は、情報処理装置３００のユーザである店員又は顧客、若しくは、情報処理装置３００以外の携帯装置のユーザである店員又は顧客が対象商品が置かれる陳列棚の前にいることを確認する。
【０１２３】
表示処理部３０３は、確認部３０２による確認の後、対象商品が置かれる陳列棚における対象商品が置かれる場所が強調される表示を表示部に出力する。表示処理部３０３の処理は、表示処理部２０３と同様である。表示部は、情報処理装置３００自身が有していてもよいし、情報処理装置３００以外の携帯装置が有していてもよい。
【０１２４】
図２１は、第四実施形態における情報処理装置３００の動作例を示すフローチャートである。図２１に示されるように、第四実施形態における支援方法は、情報処理装置３００のような少なくとも１つのコンピュータにより実行される。例えば、図示される各工程は、情報処理装置３００が有する各処理モジュールにより実行される。各工程は、各処理モジュールの上述の処理内容と同様であるため、各工程の詳細は、適宜省略される。
【０１２５】
本実施形態における支援方法は、（Ｓ２１１）、（Ｓ２１２）及び（Ｓ２１４）を含む。
（Ｓ２１１）では、情報処理装置３００は、上述の複数の無線機の中の一つの無線機の識別情報を取得する。例えば、情報処理装置３００は、情報処理装置３００又は情報処理装置３００以外の携帯装置の最寄りの無線機の識別情報を取得する。
【０１２６】
（Ｓ２１２）では、情報処理装置３００は、（Ｓ２１１）で取得された無線機の識別情報に基づいて格納部３０４を参照することにより、（Ｓ２１１）で取得された識別情報により示される無線機と対象商品が置かれる陳列棚との位置関係を確認する。例えば、その無線機とその陳列棚との近さが確認される。（Ｓ２１２）により、情報処理装置３００は、情報処理装置３００のユーザである店員又は顧客、若しくは、情報処理装置３００以外の携帯装置のユーザである店員又は顧客が対象商品が置かれる陳列棚の前にいることを確認する。
【０１２７】
（Ｓ２１２）で確認できた場合（Ｓ２１３；ＹＥＳ）、情報処理装置３００は、対象商品が置かれる陳列棚における対象商品が置かれる場所が強調される表示を表示部に出力する（Ｓ２１４）。表示部は、情報処理装置３００が有していてもよいし、情報処理装置３００以外の他の携帯装置が有していてもよい。
【０１２８】
第四実施形態では、取得された無線機の識別情報に基づいて、その無線機と対象商品が置かれる陳列棚との位置関係が確認され、その確認後に、その陳列棚における対象商品が置かれる場所が強調される表示が出力される。これにより、店員又は顧客は、当該無線機から出力される無線信号を受信できる情報処理装置３００又は情報処理装置３００以外の携帯装置を所持することにより、対象商品が置かれた陳列棚の近くにいるか否かをすぐに把握することができる。更に、陳列棚の近くにいる場合には、店員又は顧客は、その陳列棚における対象商品が置かれる場所が強調される表示を見ることができる。これにより、陳列棚に多数の商品が置かれている場合であっても、店員又は顧客は、その中から対象商品を直ぐに見つけることができる。従って、第四実施形態によれば、店員又は顧客が店舗内で所望の商品を探すのを支援することができる。
【０１２９】
なお、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態及び各変形例は、内容が相反しない範囲で組み合わせることができる。
【０１３０】
上記の各実施形態及び各変形例の一部又は全部は、以下のようにも特定され得る。但し、上記の内容が以下の記載に限定されるものではない。
【０１３１】
１．  商品の発注タイミング情報を格納する第一格納部に格納される発注タイミングと現在時刻との関係に基づいて、発注候補商品に関する情報を取得する取得手段と、
商品又は商品が置かれる場所の担当者情報を格納する第二格納部から、前記発注候補商品又は前記発注候補商品が置かれる場所の担当者情報を抽出する抽出手段と、
前記抽出された担当者情報により示される担当者の携帯装置に、前記発注候補商品に関する前記取得された情報を送信する送信処理手段と、
を備える情報処理装置。
２．  前記携帯装置から送られる画像に、前記発注候補商品が置かれる陳列棚の一部又は全部が含まれていることを確認する確認手段と、
前記確認の後、前記発注候補商品が置かれる陳列棚における前記発注候補商品が置かれる場所が強調される表示を前記携帯装置に出力させる表示処理手段と、
を更に備える１．に記載の情報処理装置。
３．  前記確認手段は、前記携帯装置から送られる画像に含まれる商品画像と、前記発注候補商品と同じ陳列棚に置かれる商品の画像とを照合することにより、前記確認を行う、
２．に記載の情報処理装置。
４．  異なる場所に設置され、自機の識別情報を含む無線信号をそれぞれ送出する複数の無線機の中の一つの無線機の識別情報を前記携帯装置から受信する受信処理手段、
を更に備え、
前記確認手段は、前記受信された無線機の識別情報に基づいて前記複数の無線機及び複数の陳列棚の配置情報を格納する第三格納部を参照することにより、前記携帯装置と前記発注候補商品が置かれる陳列棚との位置関係を確認し、
前記表示処理手段は、前記画像に前記発注候補商品が置かれる陳列棚の一部又は全部が含まれていることの確認、及び前記携帯装置と前記発注候補商品が置かれる陳列棚との位置関係の確認の少なくとも一方の後に、前記表示を前記携帯装置に出力させる、
２．又は３．に記載の情報処理装置。
５．  異なる場所に設置され、自機の識別情報を含む無線信号をそれぞれ送出する複数の無線機の中の一つの無線機の識別情報を前記携帯装置から受信する受信処理手段と、
前記受信された無線機の識別情報に基づいて前記複数の無線機及び複数の陳列棚の配置情報を格納する第三格納部を参照することにより、前記受信された識別情報が示す無線機から前記発注候補商品が置かれる陳列棚までの経路情報を生成する生成手段と、
を更に備え、
前記送信処理手段は、前記生成された経路情報を前記携帯装置に送信する、
１．から４．のいずれか１つに記載の情報処理装置。
６．  前記送信処理手段は、前記携帯装置に、複数の発注候補商品が置かれる複数の陳列棚の識別情報を送信し、
前記受信処理手段は、前記複数の陳列棚の中から前記携帯装置で指定された陳列棚の識別情報を前記携帯装置から受信し、
前記生成手段は、前記第三格納部を参照することにより、前記受信された識別情報が示す無線機から前記受信された識別情報が示す陳列棚までの経路情報を生成する、
５．に記載の情報処理装置。
【０１３２】
７．  １．から６．のいずれか１つに記載の情報処理装置と通信可能な携帯装置において、
前記発注候補商品が置かれる陳列棚における前記発注候補商品が置かれる場所が強調される表示を表示部に出力する表示処理手段、
を備える携帯装置。
８．  前記表示部に出力された前記表示に関する前記担当者の操作を検出する検出手段と、
前記検出された操作に基づいて商品の発注情報を生成する生成手段と、
前記生成された発注情報を送信する送信処理手段と、
更に備える７．に記載の携帯装置。
【０１３３】
９．  画像を取得する取得手段と、
前記取得された画像に、対象商品が置かれる陳列棚の一部又は全部が含まれていることを確認する確認手段と、
前記確認の後、前記対象商品が置かれる陳列棚における前記対象商品が置かれる場所が強調される表示を表示部に出力する表示処理手段と、
を備える情報処理装置。
１０．  前記確認手段は、前記取得された画像に含まれる商品画像と、前記対象商品と同じ陳列棚に置かれる商品の画像とを照合することにより、前記確認を行う、
９．に記載の情報処理装置。
【０１３４】
１１．  異なる場所に設置され、自機の識別情報を含む無線信号をそれぞれ送出する複数の無線機の中の一つの無線機の識別情報を取得する取得手段と、
前記取得された無線機の識別情報に基づいて前記複数の無線機及び複数の陳列棚の配置情報を格納する格納部を参照することにより、前記取得された識別情報により示される無線機と対象商品が置かれる陳列棚との位置関係を確認する確認手段と、
前記確認の後、前記対象商品が置かれる陳列棚における前記対象商品が置かれる場所が強調される表示を表示部に出力する表示処理手段と、
を備える情報処理装置。
【０１３５】
１２．  携帯装置と通信可能なコンピュータにより実行される発注支援方法において、
商品の発注タイミング情報を格納する第一格納部に格納される発注タイミングと現在時刻との関係に基づいて、発注候補商品に関する情報を取得し、
商品又は商品が置かれる場所の担当者情報を格納する第二格納部から、前記発注候補商品又は前記発注候補商品が置かれる場所の担当者情報を抽出し、
前記抽出された担当者情報により示される担当者の携帯装置に、前記発注候補商品に関する前記取得された情報を送信する、
ことを含む発注支援方法。
１３．  前記携帯装置から送られる画像に、前記発注候補商品が置かれる陳列棚の一部又は全部が含まれていることを確認し、
前記確認の後、前記発注候補商品が置かれる陳列棚における前記発注候補商品が置かれる場所が強調される表示を前記携帯装置に出力させる、
ことを更に含む１２．に記載の発注支援方法。
１４．  前記確認は、前記携帯装置から送られる画像に含まれる商品画像と、前記発注候補商品と同じ陳列棚に置かれる商品の画像とを照合することを含む、
１３．に記載の発注支援方法。
１５．  異なる場所に設置され、自機の識別情報を含む無線信号をそれぞれ送出する複数の無線機の中の一つの無線機の識別情報を前記携帯装置から受信し、
前記受信された無線機の識別情報に基づいて前記複数の無線機及び複数の陳列棚の配置情報を格納する第三格納部を参照することにより、前記携帯装置と前記発注候補商品が置かれる陳列棚との位置関係を確認する、
ことを更に含み、
前記表示の前記携帯装置への出力は、前記画像に前記発注候補商品が置かれる陳列棚の一部又は全部が含まれていることの確認、及び前記携帯装置と前記発注候補商品が置かれる陳列棚との位置関係の確認の少なくとも一方の後に、実行する、
１３．又は１４．に記載の発注支援方法。
１６．  異なる場所に設置され、自機の識別情報を含む無線信号をそれぞれ送出する複数の無線機の中の一つの無線機の識別情報を前記携帯装置から受信し、
前記受信された無線機の識別情報に基づいて前記複数の無線機及び複数の陳列棚の配置情報を格納する第三格納部を参照することにより、前記受信された識別情報が示す無線機から前記発注候補商品が置かれる陳列棚までの経路情報を生成し、
前記生成された経路情報を前記携帯装置に送信する、
ことを更に含む１２．から１５．のいずれか１つに記載の発注支援方法。
１７．  前記携帯装置に、複数の発注候補商品が置かれる複数の陳列棚の識別情報を送信する、
ことを更に含み、
前記無線機の識別情報の受信は、前記複数の陳列棚の中から前記携帯装置で指定された陳列棚の識別情報を受信し、
前記経路情報の生成は、前記第三格納部を参照することにより、前記受信された識別情報が示す無線機から前記受信された識別情報が示す陳列棚までの経路情報を生成する、
１６．に記載の発注支援方法。
【０１３６】
１８．  コンピュータにより実行される支援方法において、
画像を取得し、
前記取得された画像に、対象商品が置かれる陳列棚の一部又は全部が含まれていることを確認し、
前記確認の後、前記対象商品が置かれる陳列棚における前記対象商品が置かれる場所が強調される表示を表示部に出力する、
ことを含む支援方法。
１９．  前記確認は、前記取得された画像に含まれる商品画像と、前記対象商品と同じ陳列棚に置かれる商品の画像とを照合することを含む、
１８．に記載の支援方法。
【０１３７】
２０．  コンピュータにより実行される支援方法において、
異なる場所に設置され、自機の識別情報を含む無線信号をそれぞれ送出する複数の無線機の中の一つの無線機の識別情報を取得し、
前記取得された無線機の識別情報に基づいて前記複数の無線機及び複数の陳列棚の配置情報を格納する格納部を参照することにより、前記取得された識別情報により示される無線機と対象商品が置かれる陳列棚との位置関係を確認し、
前記確認の後、前記対象商品が置かれる陳列棚における前記対象商品が置かれる場所が強調される表示を表示部に出力する、
ことを含む支援方法。
【０１３８】
２１．  １２．から１７．に記載の発注支援方法、又は１８．から２０．に記載の支援方法を少なくとも一つのコンピュータに実行させるプログラム、若しくはそのプログラムを当該少なくとも一つのコンピュータに読み取り可能に記録する記録媒体。
【０１３９】
この出願は、２０１５年３月１８日に出願された日本出願特願２０１５−０５５２５３号を基礎とする優先権を主張し、その開示の全てをここに取り込む。
【図１】
0006512283.tif 000002
【図２】
0006512283.tif 000003
【図３】
0006512283.tif 000004
【図４】
0006512283.tif 000005
【図５】
0006512283.tif 000006
【図６】
0006512283.tif 000007
【図７】
0006512283.tif 000008
【図８】
0006512283.tif 000009
【図９】
0006512283.tif 000010
【図１０】
0006512283.tif 000011
【図１１】
0006512283.tif 000012
【図１２】
0006512283.tif 000013
【図１３】
0006512283.tif 000014
【図１４】
0006512283.tif 000015
【図１５】
0006512283.tif 000016
【図１６】
0006512283.tif 000017
【図１７】
0006512283.tif 000018
【図１８】
0006512283.tif 000019
【図１９】
0006512283.tif 000020
【図２０】
0006512283.tif 000021
【図２１】
0006512283.tif 000022